(57)【要約】【課題】ストレート型の携帯電話機に取り付けられるカバーが、携帯電話機の使用中に邪魔にならず、かつ、美観を損なわないようにする。【解決手段】ストレート型の電話機本体２に取り付けられるカバー部３が、電話機本体２の表面４側を覆う第１の位置と、電話機本体２の表面４と平行であって、カバー部３の基端部が電話機本体２の側部に重なり、カバー部３の先端部が電話機本体２から離間する第２の位置と、電話機本体２の裏面１０側を覆う第３の位置との間を移動可能に構成されている。携帯電話機１は、カバー部３を第１の位置と第２の位置との間で電話機本体２の表面４に対して平行に摺動可能とする摺動機構３３と、カバー部３を第２の位置と第３の位置との間で電話機本体２の側部においてカバー部３の基端部の回動軸線回りに回動可能とする回動機構３４とを備えている。【選択図】図５
2008187519.tif 000002
【特許請求の範囲】
【請求項１】
ストレート型の電話機本体と、該電話機本体に取り付けられる板状のカバー部とを備える携帯電話機であって、
上記カバー部が、
上記電話機本体の表面側を覆う第１の位置と、
上記電話機本体の表面と平行であって、上記カバー部の基端部が該電話機本体の側部に重なり、かつ上記カバー部の先端部が上記電話機本体から離間する第２の位置と、
上記電話機本体の裏面側を覆う第３の位置との間を移動可能に構成されており、
上記カバー部を上記第１の位置と第２の位置との間で上記電話機本体の表面に対して平行に摺動可能とする摺動機構と、
上記カバー部を上記第２の位置と第３の位置との間で上記電話機本体の側部において該カバー部の基端部の回動軸線回りに回動可能とする回動機構とを備えていることを特徴とする携帯電話機。
【請求項２】
請求項１の携帯電話機において、
上記回動機構は、
上記電話機本体の側部において上記カバー部の回動軸線方向の両端部に突設された枢支軸部と、
上記カバー部の基端部における上記回動軸線方向の両端部に設けられ、該カバー部が上記第２の位置から第３の位置までの間にあるときに上記枢支軸部に軸支される回動部とで構成されていることを特徴とする携帯電話機。
【請求項３】
請求項２の携帯電話機において、
上記枢支軸部のうちの一方に、スライド式のアンテナ部を上記電話機本体に対し上記回動軸線方向に沿って出入可能に収納するアンテナ収納穴が形成されていることを特徴とする携帯電話機。
【請求項４】
請求項１から３のいずれか１つの携帯電話機において、
上記摺動機構は、
上記電話機本体において上記カバー部の回動軸線方向の両端縁に設けられた突条リブと、
上記カバー部の上記回動軸線方向の両端縁に設けられ、上記各突条リブと係合する係合爪とで構成されていることを特徴とする携帯電話機。
【請求項５】
請求項１から４のいずれか１つの携帯電話機において、
上記第２の位置から第３の位置までの間にある上記カバー部を上記電話機本体に対して回動不能に係止させる係止機構をさらに備えていることを特徴とする携帯電話機。
【請求項６】
請求項３の携帯電話機において、
上記第２の位置から第３の位置までの間にある上記カバー部を上記電話機本体に対して係止させる係止機構をさらに備え、
上記係止機構は、
上記アンテナ部に設けられ、かつアンテナ本体よりも径の大きい係止軸と、
上記カバー部の回動部に設けられ、上記カバー部が上記第２の位置と第３の位置との間にあるとき、上記アンテナ収納穴が形成された上記枢支軸部内に位置する係止突起とを備えていて、上記アンテナ部をスライドさせて、上記枢支軸部の穴の周囲と上記係止軸とによって、上記回動部の係止突起を挟持することで上記カバー部を上記電話機本体に対して係止するように構成されていることを特徴とする携帯電話機。
【請求項７】
請求項１から６のいずれか１つの携帯電話機において、
上記第１の位置にあるときのカバー部に上記電話機本体表面の液晶表示部に対応するように開口が形成され、該開口に透明材が配設されていることを特徴とする携帯電話機。
【請求項８】
請求項７の携帯電話機において、
上記電話機本体の裏面に上記カバー部が第３の位置にあるときの上記開口に対応するようにカメラ部が設けられていることを特徴とする携帯電話機。
【発明の詳細な説明】
【技術分野】
【０００１】
本発明は、カバー付きストレート型携帯電話機に関するものである。
【背景技術】
【０００２】
従来より、携帯電話機の不使用時に、電話機本体の操作ボタンや液晶画面を覆って傷や汚れを防止し保護するためのカバーを備えた携帯電話機は知られている。このうち、折りたたみ式ではないストレート型の携帯電話機のカバーとして、図１０（ａ）に示すように、不使用時には液晶表示部を覆う筒状のカバーであって、使用時には電話機本体の側方に設けられた溝に沿って上方へスライドさせて液晶表示部を露出させるものが提案されている（例えば、特許文献１参照）。
【０００３】
また、ストレート型の携帯電話機として、図１０（ｂ）に示すように、電話機本体の側部に回転可能に取り付けられた板状のカバーを備えるものも提案されている（例えば、特許文献２参照）。この図１０（ｂ）に示すカバーは、携帯電話機の不使用時には液晶表示部及び操作部を覆い、使用時には、電話機本体の側部を軸に略１８０度回転するように取り付けられている。
【特許文献１】特開２００１−１２７８５９号公報
【特許文献２】特開平８−３３１６３１号公報
【発明の開示】
【発明が解決しようとする課題】
【０００４】
しかし、上記特許文献１又は２の携帯電話機では、使用時にカバーが電話機本体から上方又は側方へ張り出した状態となり邪魔であるという問題がある。さらに、操作ボタンや液晶画面が設けられる側と反対側、すなわち電話機本体の裏面側は、操作ボタンの操作中や液晶画面の使用中にはカバーにより覆われず、裏面側にカメラレンズ部等が設けられている場合、汚れた持ち手や物が接触する可能性があり保護が十分でないという問題もある。
【０００５】
そこで、上記問題点を解決するために、図１０（ｂ）に示すカバーを裏面側までさらに１８０度回転させて、携帯電話機の使用時に裏面側を覆うようにすることが考えられる。しかし、このように単純にカバーを３６０度回転させるだけでは、カバーの裏面側が露呈していまい、外観上好ましくない。
【０００６】
本発明は、かかる点に鑑みてなされたものであり、その目的とするところは、ストレート型の携帯電話機に取り付けられるカバーが、携帯電話機の使用中に邪魔にならず、かつ、美観を損なわないようにすることにある。
【課題を解決するための手段】
【０００７】
上記目的を解決するために、本発明に係る携帯電話機では、電話機本体の表面を覆うカバー部を側方に向けて摺動させて電話機本体の表面を開いた後、電話機本体の側部を中心にカバー部を裏面側に向かって回動させ、裏面側を覆うようにした。
【０００８】
具体的には、第１の発明に係る携帯電話機は、ストレート型の電話機本体と、該電話機本体に取り付けられる板状のカバー部とを備える携帯電話機であって、上記カバー部が、上記電話機本体の表面側を覆う第１の位置と、上記電話機本体の表面と平行であって、上記カバー部の基端部が該電話機本体の側部に重なり、かつ上記カバー部の先端部が上記電話機本体から離間する第２の位置と、上記電話機本体の裏面側を覆う第３の位置との間を移動可能に構成されており、上記カバー部を上記第１の位置と第２の位置との間で上記電話機本体の表面に対して平行に摺動可能とする摺動機構と、上記カバー部を上記第２の位置と第３の位置との間で上記電話機本体の側部において該カバー部の基端部の回動軸線回りに回動可能とする回動機構とを備えている。
【０００９】
上記の構成によると、第１の位置にあり電話機本体の表面を閉じた状態にあるカバー部を摺動機構によって電話機本体の表面に対して摺動させ、第２の位置にすることで電話機本体の表面が開かれる。そして、第２の位置からカバー部を回動機構により電話機本体の側部を中心に回動させて電話機本体の裏面を覆う第３の位置に移動させる。このように、カバー部を第３の位置に移動させることで、携帯電話機の使用中にカバー部が邪魔にならない。さらに、電話機本体の表面側を覆う第１の位置から第２の位置までスライドさせた後に回動させているため、カバー部は表面を外側にして第３の位置に移動するため、携帯電話機の使用中においても美観を損なわない。
【００１０】
第２の発明に係る携帯電話機は、上記第１の発明に係る携帯電話機において、上記回動機構は、上記電話機本体の側部において回動軸線方向の両端部に突設された枢支軸部と、上記カバー部の基端部における上記回動軸線方向の両端部に設けられ、該カバー部が上記第２の位置から第３の位置までの間にあるときに上記枢支軸部に軸支される回動部とで構成されている。
【００１１】
上記の構成によると、カバー部が第１の位置から第２の位置までスライドすると、カバー部の基端側が電話機本体の枢支軸部が形成された側部に移動し、カバー部の各回動部が電話機本体の枢支軸部に枢支される。こうして、枢支軸部と回動部とによって回動機構が構成され、第２の位置と第３の位置との間でカバー部が電話機本体に対して回動可能となる。
【００１２】
第３の発明に係る携帯電話機は、上記第２の発明に係る携帯電話機において、上記枢支軸部のうちの一方に、スライド式のアンテナ部を上記電話機本体に対し上記回動軸線方向に沿って出入可能に収納するアンテナ収納穴が形成されている。
【００１３】
上記の構成によると、スライド式のアンテナを収納するためのアンテナ収納穴を利用して回動機構の枢支軸部を設けることができるので、回動機構のためのスペース確保が容易となる。
【００１４】
第４の発明に係る携帯電話機は、上記第１から第３のいずれか１つの発明に係る携帯電話機において、上記摺動機構は、上記電話機本体において上記カバー部の回動軸線方向の両端縁に設けられた突条リブと、上記カバー部の上記回動軸線方向の両端縁に設けられ、上記各突条リブと係合する係合爪とで構成されている。
【００１５】
上記の構成によると、カバー部が第１の位置と第２の位置との間にあるとき、電話機本体の突条リブとカバー部の係合爪とが係合して摺動機構を構成し、これによりカバー部が摺動可能となっている。
【００１６】
第５の発明に係る携帯電話機は、上記第１から第４のいずれか１つの発明に係る携帯電話機において、上記第２の位置から第３の位置までの間にある上記カバー部を上記電話機本体に対して回動不能に係止させる係止機構をさらに備えている。
【００１７】
上記の構成によると、第２の位置と第３の位置との間の任意の位置でカバー部が電話機本体に対して係止され、カバー部と電話機本体とで支持して携帯電話機が自立可能となる。
【００１８】
第６の発明に係る携帯電話機は、上記第３の発明に係る携帯電話機において、上記第２の位置から第３の位置までの間にある上記カバー部を上記電話機本体に対して係止させる係止機構をさらに備え、上記係止機構は、上記アンテナ部に設けられ、かつアンテナ本体よりも径の大きい係止軸と、上記カバー部の回動部に設けられ、上記カバー部が上記第２の位置と第３の位置との間にあるとき、上記アンテナ収納穴が形成された上記枢支軸部内に位置する係止突起とを備えていて、上記アンテナ部をスライドさせて、上記枢支軸部の穴の周囲と上記係止軸とによって、上記回動部の係止突起を挟持することで上記カバー部を上記電話機本体に対して係止するように構成されている。
【００１９】
上記の構成によると、回動機構を構成する枢支軸部及び回動部と、アンテナ部とを利用して係止機構を構成し、アンテナ部をスライドさせることで第２の位置と第３の位置との間の任意の位置でカバー部が電話機本体に対して係止される。
【００２０】
第７の発明に係る携帯電話機は、上記第１から６のいずれか１つ発明に係る携帯電話機において、上記第１の位置にあるときのカバー部に上記電話機本体表面の液晶表示部に対応するように開口が形成され、該開口に透明材が配設されている。
【００２１】
上記の構成によると、カバー部が電話機本体の表面を覆い保護しているときにも、カバー部の上から液晶表示部が目視可能となる。
【００２２】
第８の発明に係る携帯電話機は、上記第６の発明に係る携帯電話機において、上記電話機本体の裏面に上記カバー部が第３の位置にあるときの上記開口に対応するようにカメラ部が設けられている。
【００２３】
上記の構成によると、電話機本体の使用中でカバー部が第３の位置にあるときにも、カメラ部がカバー部の開口に対応する位置に設けられているため、このカメラ部を使用して映像を撮ることができる。
【発明の効果】
【００２４】
上記第１の発明によれば、カバー部を電話機本体の裏面側に移動させるので、カバー部が携帯電話機の使用中に邪魔にならないとともに、カバー部を電話機本体に対して摺動させた後に回動させることにより、カバー部が電話機本体の裏面側を覆うときも、カバー部の表面を外側にして美観を損なわずに覆うことができる。
【００２５】
上記第２の発明によれば、カバー部を第２の位置に移動させると、電話機本体の枢支軸部にカバー部の回動部が枢支され、これらによって回動機構が構成されてカバー部を電話機本体に対して回動させることができる。
【００２６】
上記第３の発明によれば、スライド式のアンテナを収納するためのアンテナ収納穴を利用して回動機構の枢支軸部を設けることができるので、回動機構のためのスペースを容易に確保することができる。
【００２７】
上記第４の発明によれば、カバー部が第１の位置と第２の位置との間にあるとき係合する電話機本体の突条リブとカバー部の係合爪とで摺動機構が構成され、これによりカバー部を電話機本体に対して摺動させることができる。
【００２８】
上記第５の発明によれば、係止機構によって、第２の位置と第３の位置との間の任意の位置でカバー部を電話機本体に対して係止することができ、カバー部と電話機本体とで支持することで携帯電話機を自立させることができる。
【００２９】
上記第６の発明によれば、回動機構を構成する枢支軸部及び回動部と、アンテナ部とを利用して係止機構が構成され、アンテナ部をスライドさせることで第２の位置と第３の位置との間の任意の位置でカバー部を電話機本体に対して容易に係止することができる。
【００３０】
上記第７の発明によれば、カバー部が電話機本体の表面を覆い保護しているときにも、カバー部の上から液晶表示部を視認することができ、携帯電話機の利便性を向上させることができる。
【００３１】
上記第８の発明によれば、電話機本体の裏面にカメラ部が備えられている場合でも、このカメラ部を開口に対応する位置に設けることにより、カバー部が第３の位置にあるときでも、カメラ部を利用することができ、利便性をより向上させることができる。
【発明を実施するための最良の形態】
【００３２】
以下、本発明の実施形態を図面に基づいて詳細に説明する。
【００３３】
《発明の実施形態１》
図１に本発明の実施形態１に係る携帯電話機１を示し、この携帯電話機１は、折りたたみ式ではないストレート型の筐体である電話機本体２と、この電話機本体２の一部を覆う可動式のカバー部３とを備えている。
【００３４】
（電話機本体）
図２に示すように、上記電話機本体２の電話機表面４側［図２（ａ）に示す側］の略上半分には液晶表示部５が設けられ、略下半分には各種のボタンが配列された操作部６が設けられている。この電話機本体２の電話機裏面１０側［図２（ｂ）に示す側］の上下方向中央のやや上側には、カメラ部７が設けられている。なお、以下の説明において、電話機本体２の「左右」とは、電話機本体２を電話機表面４側から見たときの状態を指すものとする。
【００３５】
そして、上記電話機本体２の電話機上面１１の右端には、上方に向かって突出した上側円筒リブ１２が設けられ、この上側円筒リブ１２の左端には挿入開口１３が開けられており、上側円筒リブ１２は平面視略Ｃ字状となっている。そして、詳しくは後述するが、この上側円筒リブ１２から下側に向かって凹陥した長穴のアンテナ収納穴１５が形成され、このアンテナ収納穴１５と上側円筒リブ１２とによってアンテナ収納部１７が構成されている。一方、電話機本体２の下面の右端にも、上側円筒リブ１２と同じ形状の下側円筒リブ１８が、上側円筒リブ１２と同軸上に形成されている。
【００３６】
そして、上記電話機本体２の電話機表面４には、上縁から上側に向けて突出する上側突条リブ９ａと、下縁から下側に向けて突出する下側突条リブ９ｃとが連続して形成されている。そして、上記カバー部３がこれらの上側突条リブ９ａと下側突条リブ９ｃとに係合して、電話機本体２に電話機表面４に対して摺動可能に取り付けられている。
【００３７】
（カバー部）
図３に示すように、上記カバー部３は上記電話機本体２の表裏面側と略同じ形状の略矩形状のカバー本体２０を備えている。なお、以下の説明において、カバー部３をカバー部表面２１側［図３（ａ）に示す側］から見て左側をカバー部３の基端側、また右側をカバー部３の先端側というものとする。
【００３８】
上記カバー本体２０の先端側端縁には、カバー本体２０のカバー部裏面２２側［図３（ｂ）に示す側］に向かってカバー本体２０に対して略垂直に延びる先端側フランジ部２３が形成されている。一方、カバー本体２０の上下方向（長手方向）両端縁には、カバー本体２０のカバー部裏面２２側に向かってカバー本体２０に対して略垂直に延びる上側フランジ部２４及び下側フランジ部２５が形成されている。これらの上側及び下側フランジ部２４，２５の基端部からは、さらに上側回動部２６及び下側回動部２７が延びている。
【００３９】
上記上側回動部２６におけるカバー本体２０の表裏方向略中央には、先端側に向かって開口するアンテナ軸収納凹部２８が形成されている。また、図１（ｂ）及び図３（ｃ）に示すように、上側回動部２６及び下側回動部２７のそれぞれの裏面側からは、平面視略半円形状の回動ガイドリブ２９がそれぞれ突設され、これらの回動ガイドリブ２９は先端側に向かって開口し、その内周面が上記電話機本体２の上側円筒リブ１２及び下側円筒リブ１８の外周面に沿うように形成されている。また、これらの回動ガイドリブ２９の内側の上側及び下側回動部２６，２７の裏面側からは、円柱状の係止突起３０がそれぞれ突設され、この係止突起３０は、その直径が上記上側円筒リブ１２及び下側円筒リブ１８の挿入開口１３の幅よりも若干小さくなるように形成されている。
【００４０】
また、上記上側フランジ部２４の先端縁から下側に向かって上側爪部３１が、また下側フランジ部２５の先端縁から上側に向かって下側爪部３２がそれぞれ形成されている。
【００４１】
（摺動機構）
上記カバー部３が上記電話機本体２の電話機表面４を覆う第１の位置（図１で示す位置）にあるとき、すなわち携帯電話機１の不使用時の状態において、図４（ｂ）に示すように、カバー部３の上側爪部３１（上側フランジ部２４）と電話機本体２の上側突条リブ９ａとが係合し、かつ下側爪部３２（下側フランジ部２５）と下側突条リブ９ｃとが係合している。そして、これらの上側及び下側爪部３１，３２と、上側及び下側突条リブ９ａ，９ｃとで摺動機構３３が構成され、カバー部３が電話機本体２の電話機表面４側に摺動可能に係合した状態となっている。
【００４２】
具体的には、図４（ａ）に示すように、カバー部３の基端が電話機本体２の左端に位置し、カバー部裏面２２と電話機表面４とが相対するように配置されて、カバー部３が電話機本体２に対して図４（ａ）の右方向（矢印方向）に摺動可能となっている。なお、カバー部３の先端側フランジ部２３が電話機本体２の右側側面１４に当接することで、カバー部３が図４（ａ）の位置より左側には電話機本体２に対して摺動不可となっている。
【００４３】
上記カバー部３は、電話機本体２に対して図５（ａ）に示す位置（第２の位置）まで摺動するようになっている。具体的には、図５（ｂ）及び（ｃ）に示すように、カバー部３を電話機本体２の右側に向かって摺動させ、上側回動部２６のアンテナ軸収納凹部２８にアンテナ部４０が挿入されると共に、上側及び下側回動部２６，２７の各係止突起３０が上側円筒リブ１２及び下側円筒リブの各挿入開口１３から上側円筒リブ１２内に入り、カバー部３の各回動ガイドリブ２９の内周面が、上側円筒リブ１２及び下側円筒リブの外周面に当接することで、カバー部３の係る位置より右側への電話機本体２の摺動が規制される。この位置で、カバー部３の上側及び下側爪部３１，３２と電話機本体２の上側及び下側突条リブ９ａ，９ｃとの係合が外れるようになっている。
【００４４】
（回動機構）
上記カバー部３が第２の位置に移動し、カバー部３の上側及び下側回動部２６，２７の各回動ガイドリブ２９が、枢支軸部としての上側円筒リブ１２及び下側円筒リブ１８に軸支されることで、これらの上側及び下側回動部２６，２７と上側円筒リブ１２及び下側円筒リブ１８とで回動機構３４が構成されるようになっている。そして、この回動機構３４によって、カバー部３が上記第２の位置と第３の位置との間で、電話機本体２の側部においてカバー部３の基端部の回動軸線回りに回動可能となっている。
【００４５】
すなわち、上記回動機構３４によって、カバー部３の基端側が電話機本体２の右側側部に枢支された状態となり、カバー部３の上側及び下側爪部３１，３２と電話機本体２の上側及び下側突条リブ９ａ，９ｃとの係合が外れて回動可能な状態となり、カバー部３が電話機本体２の裏面側に向かって回動するようになっている。このとき、各回動ガイドリブ２９の内周面が各円筒リブ１２，１８の外周面に沿い、各係止突起３０が各円筒リブ１２の内周面に沿った状態でカバー部３が回動するようになっている。この回動機構３４によって、図６に示すように、カバー部３は、第２の位置からカバー部３が電話機裏面１０を覆う位置（第３の位置）までの間を略１８０度回動自在に構成されている。
【００４６】
具体的には、上記カバー部３は第３の位置において、その基端が電話機本体２の右端に位置するとともに、その先端が電話機本体２の左端に位置し、かつカバー部裏面２２と電話機表面４とが相対するように配置されている。すなわち、カバー部３が電話機裏面１０を覆うとき、カバー部表面２１が外側となりカバー部裏面２２が露呈しないようになっている。
【００４７】
（アンテナ部）
図７に示すように、上記電話機本体２には、上記上側円筒リブ１２から下側に向かって凹陥した長穴のアンテナ収納穴１５が形成され、このアンテナ収納穴１５と上側円筒リブ１２とでアンテナ収納部１７が構成されている。そして、このアンテナ収納部１７に、後述するアンテナホルダー４６を介してアンテナ部４０が配設されている。なお、以下の説明において、図７（ｂ）に示す上側をアンテナ部４０の上側とし、図７（ｂ）に示す下側をアンテナ部４０の下側とする。
【００４８】
上記アンテナ部４０は、棒状のアンテナ本体４１と、このアンテナ本体４１の上端に設けられ、アンテナ本体４１よりも大径でかつ、上記アンテナ収納穴１５の穴径よりも小径の上側係止軸４２と、アンテナ本体４１の下端に設けられ、上側係止軸４２と略同じ径の下側係止軸４３とを備えている。さらに、この上側係止軸４２の上側には、アンテナ収納穴１５とほぼ同じ径の円柱状のアンテナトップ部４４が設けられ、下側係止軸４３の下側には、下側係止軸４３よりもさらに大径でかつ、アンテナ収納穴１５の穴径よりもわずかに小径の円盤状のストッパー４５が設けられている。これらのアンテナ本体４１、上側係止軸４２、下側係止軸４３、アンテナトップ部４４及びストッパー４５は全て同軸上に形成されている。
【００４９】
上記アンテナ本体４１は、アンテナホルダー４６の中央部に上下方向に貫通するように形成された貫通孔４７に遊嵌され、この貫通孔４７は、その孔径が上記上側及び下側係止軸４２，４３の径と略同じとなるように形成されている。上記アンテナホルダー４６は、アンテナ収納穴１５の穴径とほぼ同じ径の円盤状の上側台座４６ａと、上側台座４６ａの下側に設けられ、上側台座４６ａよりも小径の円柱状の下側台座４６ｂとで構成されている。
【００５０】
図７（ｂ）に示すように、上記アンテナホルダー４６はアンテナ収納穴１５内の上部に固定されており、このアンテナホルダー４６を介してアンテナ収納部１７に収納されたアンテナ部４０は、図７（ｃ）に示すように、ストッパー４５がアンテナホルダー４６の下側台座４６ｂに当接する位置まで引き出される使用位置と、アンテナトップ部４４がカバー部３の上側回動部２６に当接する位置［図７（ｄ）に示す位置］又はアンテナホルダー４６の上側台座４６ａに当接する位置まで収納される収納位置との間をスライド可能に構成されている。
【００５１】
具体的には、アンテナ部４０の使用時には、アンテナトップ部４４が引っ張られ、下側係止軸４３がアンテナホルダー４６の貫通孔４７の内周面に接触して導通されるとともに、アンテナ部４０がアンテナホルダー４６に係止される。一方、アンテナ部４０の不使用時には、アンテナトップ部４４がアンテナ収納穴１５内に向かって押し込まれ、上側係止軸４２がアンテナホルダー４６の貫通孔４７の内周面に接触して導通されるとともに、カバー部３が第１の位置から第２の位置までの間にある場合は、アンテナトップ部４４がアンテナホルダー４６の上側台座４６ａに当接し、カバー部３が第２の位置から第３の位置までの間にある場合は、アンテナトップ部４４がカバー部３の上側回動部２６に当接する位置までアンテナ部４０が収納される。
【００５２】
（係止機構）
図８（ａ）に示すように、上記カバー部３が第２の位置から第３の位置までの間にあるとき、図８（ｂ）に示すように、カバー部３の上側回動部２６の係止突起３０は、電話機本体２の上側円筒リブ１２の内側に、内周面に沿うように位置している。このとき、アンテナ部４０を上記使用位置［図７（ｃ）の位置］又は収納位置［図７（ｄ）の位置］にすると、アンテナ部４０の上側係止軸４２又は下側係止軸４３と上側円筒リブ１２とで係止突起３０を挟持するようになり、カバー部３が電話機本体２に対して係止され、カバー部３の回動が規制される。すなわち、上記係止突起３０と上側円筒リブ１２と、上側係止軸４２又は下側係止軸４３とでカバー部３の係止機構４９が構成されている。アンテナ部４０を上記使用位置にしたときに、下側係止軸４３が上側円筒リブ１２とで係止突起３０を挟持することができるように、下側係止軸４３の上下方向の長さが設定されている。一方、アンテナ部を上記収納位置にしたときに、同様に、上側係止軸４２が上側円筒リブ１２とで係止突起を挟持することができるように、上側係止軸４２の上下方向の長さが設定されている。なお、図８（ｂ）においてアンテナ部４０のアンテナトップ部４４は省略している。
【００５３】
上記係止機構４９によって、カバー部３を第２の位置から第３の位置までの間の任意の位置で電話機本体２に対して係止することができ、カバー部３と電話機本体２とで支えて携帯電話機１を自立させることができるようになっている。
【００５４】
（使用方法）
次に、本発明の実施形態１に係る携帯電話機１の使用方法について説明する。携帯電話機１の不使用時には、カバー部３を第１の位置に配置して電話機表面４を覆い保護する。
【００５５】
そして、携帯電話機１を使用するときは、まず摺動機構３３によって、カバー部３が電話機本体２の右側に向かって第２の位置までスライドする。これにより、電話機表面４が露出しカバー部３が開いた状態となる。
【００５６】
さらに、回動機構３４によって、カバー部３が電話機本体２の右端側を軸に回動して第３の位置に移動する。このようにカバー部３を回動させるときは、カバー部３に対して係止機構４９が作用しないように、すなわち、上側係止軸４２又は下側係止軸４３が上側円筒リブ１２とで係止突起３０を挟持しないように、上下方向の上側円筒リブ１２に対応する位置にアンテナ本体４１を位置させて、係止を解除しておく。そして、カバー部３が第３の位置に移動した後、アンテナ部４０を使用位置にすることによって係止機構４９が作用し、カバー部３が電話機本体２に対して係止される。これにより、携帯電話機１の使用時には、カバー部３が電話機裏面１０側にまで移動するので邪魔にならず、スライドした後回動することにより、カバー部表面２１が外側に向くので美観も損なわれない。
【００５７】
一方、携帯電話機１の使用が終了したときは、係止機構４９による係止が解除された後、回動機構３４によってカバー部３が第２の位置に向かって回動する。カバー部３が第２の位置に移動すると、各突条リブ９ａ，９ｃと各係合爪３１，３２とが係合し摺動機構３３が構成されるので、カバー部３を電話機本体２の左側に向かって回動させ、第１の位置までスライドさせる。
【００５８】
また、携帯電話機１を起立させるときは、係止機構４９による係止が解除された状態で、カバー部３を第２の位置と第３の位置との間の任意の位置に移動させる。その後、アンテナ部４０を使用位置又は収納位置までスライドさせて係止機構４９を作用させることで、カバー部３が電話機本体２に対して係止される。この状態で、携帯電話機１を立てると、電話機本体２とカバー部３とで支持されて電話機本体１が自立する。
【００５９】
（実施形態１の効果）
したがって、本実施形態１に係る携帯電話機１においては、携帯電話機１を使用するときは、第１の位置から摺動機構３３によってカバー部３を電話機本体２に対してスライドして第２の位置に移動させた後、回動機構３４によって電話機裏面１０側に向かって回動し第３の位置まで移動させる。これにより、電話機本体１の使用中にカバー部３が邪魔にならないとともに、カバー部３のカバー部表面２１を外側にして、美観を損なわずに電話機裏面１０を覆うことができる。
【００６０】
また、回動機構３４を、アンテナ収納部１７を利用した枢支軸部としての円筒リブ１２，１８と、各回動部２６，２７とで構成しているので、この回動機構３４のためのスペースを容易に確保することができる。
【００６１】
また、カバー部３が第１の位置と第２の位置との間にあるときに係合する電話機本体２の各突条リブ９ａ，９ｃとカバー部３の各係合爪３１，３２とで摺動機構を構成しているので、カバー部３を電話機本体２に対して容易に摺動させることができる。
【００６２】
また、回動機構３４を構成する上側円筒リブ１２及び上側回動部２６と、アンテナ部４０とを利用して係止機構４９が構成され、この係止機構４９によって、第２の位置と第３の位置との間の任意の位置でカバー部３を電話機本体２に対して容易に係止することができ、カバー部３と電話機本体２とで支持することで携帯電話機１を自立して立たせることができる。また、アンテナ部４０をスライドさせることにより、係止機構４９の係止及び解除の切換を容易に行うことができる。
【００６３】
《発明の実施形態２》
次に、図９に基づいて、本発明の実施形態２に係る携帯電話機１について詳細に説明する。なお、図１と同じ構成要素については同じ符号を付し、実施形態１と同じ部分については、その詳細な説明は省略する。
【００６４】
すなわち、本発明の実施形態２に係る携帯電話機１は、カバー部３に開口３５が形成され、この開口３５に透明材３６が配設されている点で上記実施形態１に係る携帯電話機１と異なる。
【００６５】
具体的には、図９（ａ）に示すように、カバー部３の上部に、略矩形状の開口３５が形成されている。この開口３５は、カバー部３が上記第１の位置にあるとき、上記電話機本体３の液晶表示部５に対応する位置に形成され、この液晶表示部５と略同じ大きさの略矩形に開口されている。そして、この開口３５には、例えばプラスチック製の透明材３６が配設され、カバー部３が第１の位置にあって電話機本体２の電話機表面４を覆っている場合でも液晶表示部５が視認できるようになっている。
【００６６】
一方、図９（ｂ）に示すように、カバー部３を摺動機構３３により電話機本体２に対してスライドさせて第２の位置に移動させた後、回動機構３４により回動させて第３の位置にまで移動させたとき、上記電話機本体２のカメラ部７が上記開口３５から見えるようになっている。
【００６７】
（実施形態２の効果）
カバー部３に透明材３６が配設された開口３５が形成されていることにより、カバー部３が電話機本体２の表面を覆い保護する第１の位置にあるときにも、カバー部３の上から液晶表示部５を視認することができる。そして、カバー部３が第１の位置にあるときに、電話機裏面１０にあるカメラ部７で写される映像を液晶表示部５で確認しながら、撮影等を行うことができる。
【００６８】
また、カバー部３が電話機裏面１０を覆う第３の位置にあるときでも、上記カメラ部７が開口３５に対応する位置に設けられていることにより、このカメラ部７を補助的に使用することができ、電話機本体２の使用状態における急な撮影の要求に対するカメラ部７の即答性を向上させることができ、利便性をより向上させることができる。
【００６９】
（その他の実施形態）
なお、上述の実施形態は、本発明の例示であって、本発明はこの例に限定されるものではない。例えば、以下のような構成としてもよい。
【００７０】
すなわち、上記実施形態では、係止機構４９により、カバー部３を電話機本体２に対して係止可能に構成したが、この係止機構４は必ずしも設けなくともよい。
【００７１】
また、摺動機構３３及び回動機構３４の構成は上記の構成には限定されない。
【産業上の利用可能性】
【００７２】
以上説明したように、本発明は、ストレート型の電話機本体と、電話機本体に取り付けられる板状のカバー部とを備える携帯電話機について有用である。
【図面の簡単な説明】
【００７３】
【図１】本発明の実施形態１に係る携帯電話機においてカバー部が第１の位置にある場合を示し、（ａ）は斜視図であり、（ｂ）は上部の拡大斜視図である。
【図２】電話機本体を示し、（ａ）は電話機表面側から見た斜視図であり、（ｂ）は電話機裏面側から見た斜視図である。
【図３】カバー部を示し、（ａ）はカバー部表面側から見た斜視図であり、（ｂ）はカバー部裏面側から見た斜視図であり、（ｃ）は下側回動部の拡大斜視図である。
【図４】カバー部が第１の位置にある場合の携帯電話機を示し、（ａ）は電話機上面側から見た平面図であり、（ｂ）は電話機右側から見た上部拡大側面図である。
【図５】カバー部が第２の位置にある場合の携帯電話機を示し、（ａ）は斜視図であり、（ｂ）は上部の拡大斜視図であり、（ｃ）は電話機上面側から見た平面図である。
【図６】カバー部が第３の位置にある場合の携帯電話機を示し、（ａ）は電話機表面側から見た斜視図であり、（ｂ）は上部の拡大斜視図であり、（ｃ）は電話機上面側から見た平面図である。
【図７】アンテナ部を示し、（ａ）は斜視図であり、（ｂ）はアンテナ収納部に収納された状態を示す断面図であり、（ｃ）はアンテナ部が引き出された使用時の状態を示す下部断面図であり、（ｄ）はアンテナ部が収納された不使用時の状態を示す上部断面図である。
【図８】係止機構によりカバー部が電話機本体に対して係止された状態を示し、（ａ）は斜視図であり、（ｂ）は電話機上面側から見た平面図である。
【図９】本発明の実施形態２に係る携帯電話機においてカバー部が第１の位置にある場合を示し、（ａ）は電話機表面側から見た斜視図であり、（ｂ）は電話機裏面側から見た斜視図である。
【図１０】カバー部を有するストレート型携帯電話機の従来例を示す図である。
【符号の説明】
【００７４】
１    携帯電話機
２    電話機本体
３    カバー部
４    電話機表面（表面）
５    液晶表示部
７    カメラ部
９ａ  上側突条リブ（突条リブ）
９ｃ  下側突条リブ（突条リブ）
１０  電話機裏面（裏面）
１２  上側円筒リブ
１５  アンテナ挿入穴
１７  アンテナ挿入部
１８  下側円筒リブ
２６  上側回動部（回動部）
２７  下側回動部（回動部）
３０  係止突起
３１  上側爪部（爪部）
３２  下側爪部（爪部）
３３  摺動機構
３４  回動機構
３５  開口
３６  透明材
４０  アンテナ部
４１  アンテナ本体
４２  上側係止軸（係止軸）
４３  下側係止軸（係止軸）
４９  係止機構
【図１】
2008187519.tif 000003
【図２】
2008187519.tif 000004
【図３】
2008187519.tif 000005
【図４】
2008187519.tif 000006
【図５】
2008187519.tif 000007
【図６】
2008187519.tif 000008
【図７】
2008187519.tif 000009
【図８】
2008187519.tif 000010
【図９】
2008187519.tif 000011
【図１０】
2008187519.tif 000012